(57)【要約】室内の居住空間と排水機器が調和し、更にスケルトン・インフィル住宅などにおいても簡単に移動可能であって、更に室内の居住空間が変わっても室内の居住空間と排水機器が調和することができる意匠性の良い排水機器を提供する。【解決手段】屋内に配置される排水機器であって、排水口（１ａ）を開口した槽体と、前記槽体の排水を処理して下水（９）側に排出する、屋内側から露出する排水配管部（３）と、排水配管部（３）の一部又は全部を着脱自在に覆うカバー体（４）と、から成り、更に排水を下水側に排出するための配管接続口（６）を室内に複数設けて構成する。【選択図】　　図１
2004092232.tif 000002
【特許請求の範囲】
【請求項１】
屋内に配置される排水機器であって、
排水口（１ａ）を開口した槽体と、
前記槽体の排水を処理して下水（９）側に排出する、屋内側から露出する位置に配置される排水配管部（３）と、
排水配管部（３）の一部又は全部を着脱自在に覆うカバー体（４）と、
から成ることを特徴とする排水機器。
【請求項２】
前記槽体が、屋内の床面上に載置された、側方部分の一部又は全部から内部を目視可能な架台部（２）上に配設されていることを特徴とする請求項１に記載に記載の排水機器。
【請求項３】
前記屋内には、排水を下水側に排出するための配管接続口（６）を複数設けたことを特徴とする請求項１又は請求項２に記載の排水機器。
【請求項４】
前記排水配管部（３）にトラップ部（３ａ）を設け、該トラップ部（３ａ）にカバー体（４）を取り付けたことを特徴とする請求項１乃至請求項３のいずれか１つに記載の排水機器。
【発明の詳細な説明】
【０００１】
【発明の属する技術分野】
本発明は流し台や洗面器などの槽体と、槽体を支える架台部とで構成される排水機器に関するものである。
【０００２】
【従来の技術】
従来の排水機器に関する技術として、例えば図１１に示した、洗面化粧台がある。
この洗面化粧台は、架台部として機能する箱体の上に槽体を載置し、それに吐水金具等の吐水手段及び排水配管等の排水手段を取り付けて成るものであった。
以下に上記従来例を、図面を参照しつつ説明する。図１１に示した従来例は、以下に記載する槽体としての洗面器、キャビネット部、排水配管部から構成される。
洗面器は、底面に排水を下水へと排出する排水口を有し、洗面器上部には吐水手段としての吐水金具を設置して成る。
架台部は、木材の板状の部材から成る箱体から構成され、上方は前記洗面器が載架され、前面には開閉自在の扉が設けられている。該架台部の内部は、後記する排水配管部が配置され、且つ使用者が物品を収納する収納部分を設けて成り、該架台部前面の扉を閉めることにより、室内の居住空間から、架台部内の収納部分の収納物や、排水配管部を完全に覆い隠すことができ意匠的に不要な部分が見えないため洗面化粧台の意匠性が向上する。
排水配管部は、洗面器の排水口からの排水を、下水へと排出するために配管されているものであって、架台部内において前記排水口から、下水側につながる床下配管へ接続されている排水管と、該排水管の途中に設けられたトラップ部から成る。
トラップ部は、下水からの悪臭及び害虫が室内側へ逆流しないように排水管の一部をＵ字状とした管体から成り、該Ｕ字状の部分に封水と呼ばれる排水の貯留部分を設け、該貯留部分によって臭気などの逆流を防止している。
【０００３】
上記洗面化粧台の施工方法は、室内の居住空間のあらかじめ決められた位置に架台部を組み込んで設置し、その後排水配管部を配管する。そして洗面器を架台部上方に載置し、洗面器の排水口と、排水配管部の排水管とを接続し、更に下水管と排水管を接続して施工は完了する。これら配管作業は、施工作業の難しさや漏水の危険性から、通常は専門知識を有した施工業者によって施工されている。
上記のように施工された洗面化粧台において、洗面器に排水を排出した際の排水の流れとしては、排水口から排水管へ、排水管からトラップ部へ、トラップ部から排水管へ、さらに排水管から下水管へ、といった流れに従って流れることとなる。
【０００４】
【発明が解決しようとする課題】
上記のような洗面化粧台は、架台部の前面が扉となっているので、使用者が椅子等に座って作業をしようとした場合、扉が邪魔になり足が入りにくく、非常に使いにくい。また、架台部内の収納物を取り出す際にはわざわざ扉を開閉しなければ成らず、非常に不便であった。このため、前面の扉を取り除いた洗面化粧台が考えられていたが、当該構成では排水配管部分が屋内側に露出してしまい、意匠的な美観を損ねる結果となっていた。
また、リフォームなどで室内の居住空間がレイアウトや意匠が変わった際に、架台部などの意匠が以前と全く同じままの洗面化粧台を使用すると、洗面化粧台の意匠が室内のリフォーム後の新しい居住空間の色調や模様と異なってしまうので、室内の居住空間との意匠の調和がとれない場合があった。よって洗面化粧台をリフォーム後の室内の居住空間に採用することができずに、新たに室内と調和する洗面化粧台を購入しなければならない場合が発生していた。
【０００５】
また近年、新しい建物の建築様式として、建物の骨格躯体、即ち「スケルトン」を高耐久性の建築物とし、この「スケルトン」に取り付ける間取りや内装の部分、即ち「インフィル」を、出産や子供の独立など、適宜必要に応じて変更することができるスケルトン・インフィル住宅という住宅が提案されている。
しかし前記した洗面化粧台のような、架台部を室内の居住空間に組み込んで設けた、いわゆる造り付けの洗面化粧台をスケルトン・インフィル住宅に用いると、間取りや内装のレイアウトを変更する際、洗面化粧台を移動させようとしても、造り付けられた位置から架台部は移動させることができない。こうしたことから前記した洗面化粧台は間取りや内装を自在に変更可能なスケルトン・インフィル住宅には不向きであった。
また、仮に架台部を移動させることが可能であっても、室内の居住空間が自在に変更できるスケルトン・インフィル住宅においては、洗面化粧台だけが室内の居住空間の色調や模様と異なってしまうので、室内の居住空間との意匠の調和が難しく、新たに室内と調和する洗面化粧台を購入する場合があった。
上記問題点は洗面化粧台について記載しているが、同様の問題は流し台等箱体の上方に槽体を配置する排水機器において発生していた。
本発明の排水機器は、
１．室内の居住空間と排水機器が調和する意匠性の良い排水機器。
２．壁面や室内の雰囲気、使用者の好みが変わってもそれに合わせることができる排水機器。
３．スケルトン・インフィル住宅などにおいても簡単に移動可能であって、更に室内の居住空間が変わっても室内の居住空間と排水機器が調和することができる意匠性の良い排水機器。
以上のような排水機器を提供するために発明されたものである。
【０００６】
【問題を解決するための手段】
請求項１に記載の排水機器は、屋内に配置される排水機器であって、排水口（１ａ）を開口した槽体と、前記槽体の排水を処理して下水（９）側に排出する、屋内側から露出する位置に配置される排水配管部（３）と、排水配管部（３）の一部又は全部を着脱自在に覆うカバー体（４）と、から成ることを特徴とする排水機器である。
【０００７】
請求項２に記載の排水機器は、前記槽体が、屋内の床面上に載置された側壁部分の一部又は全部から、内部を目視可能な架台部（２）上に配設されていることを特徴とする前記段落０００６に記載に記載の排水機器である。
【０００８】
請求項３に記載の排水機器は、前記屋内に、排水を下水側に排出するための配管接続口（６）を複数設けたことを特徴とする前記段落０００６又は段落０００７に記載の排水機器である。
【０００９】
請求項４に記載の排水機器は、前記排水配管部（３）にトラップ部（３ａ）を設け、該トラップ部（３ａ）にカバー体（４）を取り付けたことを特徴とする前記段落０００６乃至前記段落０００８のいずれか１つに記載の排水機器である。
【発明の実施の形態】
【００１０】
以下に本発明の第１実施例を、図面を参照しつつ説明する。
図１乃至図５に示した本発明の実施例は、以下に記載する槽体としての洗面器（１）、架台部（２）、排水配管部（３）、カバー体（４）、カバー取付部材（５）から構成され、排水機器としての洗面化粧台に実施される。
洗面器（１）は、底面に排水を下水へと排出する排水口（１ａ）を有し、洗面器（１）上面には吐水手段としての吐水金具（７）を設置し、後記する架台部（２）に載置して成る。
架台部（２）は、鉄パイプなどの棒状のフレーム材（２ａ）から成り、該フレーム材（２ａ）を図２のように長方体の辺に沿うようにしつつ、更に下面に４本の脚を突き出して組み立てたものであって、その上に洗面器（１）を載架して支持固定している。
排水配管部（３）は、洗面器（１）の排水口（１ａ）からの排水を、下水へと排出するために配管されている部材であって、架台部（２）内において、前記排水口（１ａ）から下水側へつながる床下配管（９）と接続されている排水管（３ｂ）と、該排水管（３ｂ）の途中に設けられたトラップ部（３ａ）から成る。
トラップ部（３ａ）は、下水からの悪臭及び害虫が室内側へ逆流しないように排水管（３ｂ）の一部をＵ字状とした管体から成り、該Ｕ字状の部分に封水と呼ばれる排水の貯留部分を設け、該貯留部分によって臭気などの逆流を防止している。
カバー体（４）は、前記トラップ部（３ａ）と排水管（３ｂ）を覆い隠す部材であり、後記するカバー取付部材（５）に着脱自在に取り付けるための係止部（４ａ）を設けている。
カバー取付部材（５）は、室内の居住空間に該洗面化粧台が設置される近傍の壁（８）に、トラップ部（３ａ）と排水管（３ｂ）の位置にあわせてビスなどで取り付けられる部材であり、前記カバー体（４）の係止部（４ａ）と弾性的に係止される、被係止部（５ａ）が設けられている。これにより、前記カバー体（４）の係止部（４ａ）と該カバー取付部材（５）の被係止部（５ａ）は着脱自在に取り付けることが可能となる。
【００１１】
上記洗面化粧台の施工方法は、室内の居住空間のあらかじめ決められた位置に架台部（２）を設置し、洗面器（１）を架台部（２）上方に載置させ、その後排水配管部（３）を以下のように配管する。まず洗面器（１）の排水口（１ａ）と、排水配管部（３）の排水管（３ｂ）とを接続し、下水管（９）と排水管（３ｂ）を接続して洗面化粧台の施工は完了する。これら配管作業は、施工作業の難しさや漏水の危険性から、通常は専門知識を有した施工業者によって施工されている。
また、この洗面器（１）に排水を排出した際の排水の流れとしては、排水口（１）から排水管（３ｂ）へ、排水管（３ｂ）からトラップ部（３ａ）へ、トラップ部（３ａ）から排水管（３ｂ）へ、さらに排水管（３ｂ）から下水管（９）へ、といった流れに従って流れることとなる。
該洗面化粧台の使用方法として、前記カバー体（４）はカバー取付部材（５）に着脱自在に取り付けることで、排水配管部（３）の室内の居住空間側への露出を防ぐことができ、室内の居住空間との調和がとれ、非常に意匠性がよい。
また、カバー体（４）に適宜色彩や適宜模様をつけ、その色彩や模様が相違するように多種多彩のバリエーションを用意することで、使用者の好みでカバー体（４）を取り替えることが可能である。
また、更に前記カバー体（４）の色調もしくは模様を、洗面器（１）や架台部（２）、排水配管部（３）又は洗面化粧台が配置される室内の居住空間近傍の壁（８）と同一とすると、建物のリフォームやスケルトン・インフィル住宅におけるレイアウト変更の際等にカバー体（４）の意匠が悪化した場合、前記カバー体（４）を取り外し、新たに、使用者の好みや、リフォーム後のレイアウト変更後に、洗面器（１）や架台部（２）、排水配管部（３）又は洗面化粧台が設置される近傍の壁（８）の模様もしくは色調に合わせたカバー体（４）を取り付けることで、意匠性の良い洗面化粧台とすることができる。
【００１２】
次に本発明の第２実施例を、図面を参照しつつ説明する。
図１又は図６乃至図１０に示した本発明の実施例は、以下に記載する槽体としての洗面器（１ａ）、架台部（２）、排水配管部（３）、カバー体（４）、配管接続口（６）、から構成され、排水機器としての洗面化粧台に実施される。
洗面器（１）は、底面に排水を下水へと排出する排水口（１ａ）を有し、洗面器（１）上部には吐水手段としての吐水金具（７）を設置し、後記する架台部（７）に載置して成る。
架台部（２）は、鉄パイプなどの棒状のフレーム材（２ａ）から成り、該フレーム材（２ａ）を図７のように長方体の辺に沿うようにしつつ、更に下面に４本の脚を突き出して組み立てたものであって、洗面器（１）を載架して支持固定している。
排水配管部（３）は、洗面器（１）の排水口（１ａ）からの排水を、下水管（９）へと排出するために配管されているものであって、架台部（２）内である洗面器（１）下方側から前記排水口（１ａ）へ接続して、下水管（９）側へと接続されている排水管（３ｂ）と、該排水管（３ｂ）の途中に設けられたトラップ部（３ａ）から成る。
トラップ部（３ａ）は、下水（９）からの悪臭及び害虫が室内側へ逆流しないように排水管（３ｂ）の一部をＵ字状とした管体から成り、該Ｕ字状の部分に封水と呼ばれる排水の貯留部分を設け、該貯留部分によって臭気などの逆流を防止している。
排水管（３ｂ）の下水側の端部は、図９又は図１１に示したように、一般的に都市ガスなどで用いられるガス管連結用継手の構成と同構成の継手部（３ｃ）が備えられており、後記する配管接続口（６）と着脱自在に連結される。
カバー体（４）は、前記トラップ部（３ａ）と排水管（３ｂ）を覆い隠す部材であり、前記した排水配管部（３）の排水管（３ｂ）の適宜箇所と着脱自在且つ弾性的に係合する係合部を設けている。これにより、前記カバー体（４）の係止部（４ａ）と該排水配管部（３）は着脱自在に取り付けることが可能となる。
配管接続口（６）は、屋内の居住空間の適宜箇所に複数設けられ、更に図９乃至図１０に示したように排水を外部へと排出する下水管（９）と連通されて、前記した排水管（３ｂ）の継手部（３ｃ）と着脱自在に連結される連結部（６ａ）を備えて成る。
上記洗面化粧台の施工方法は、室内の居住空間のあらかじめ決められた位置に架台部（２）を設置し、洗面器（１）を架台部（２）上方に載置させ、その後排水配管部（３）を以下のように配管する。洗面器（１）の排水口（１ａ）と、排水配管部（３）の排水管（３ｂ）とを接続し、下水管（９）と連通された配管接続口（６）と、排水管（３ｂ）の継手部（３ｃ）とを接続して施工は完了する。
【００１３】
この配管接続口（６）と前記した排水管（３ｂ）の継手部（３ｃ）が連結されることで、洗面器（１）内の排水は、排水口（１ａ）から排水管（３ｂ）へ、排水管（３ｂ）からトラップ部（３ａ）へ、トラップ部（３ａ）から排水管（３ｂ）へ、さらに排水管（３ｂ）から継手部（３ｃ）へ、継手部（３ｃ）から配管接続口（６）を介して下水管（９）へ、といった流れに従って流れることとなる。
また、該洗面化粧台の使用方法として、前記カバー体（４）はカバー取付部材（５）に着脱自在に取り付けることで、排水配管部（３）の室内の居住空間側への露出を防ぐことができ、室内の居住空間との調和がとれ、非常に意匠性がよい。また、カバー体（４）に適宜色彩や適宜模様をつけ、その色彩や模様が相違するように多種多彩のバリエーションを用意することで、使用者の好みでカバー体（４）を取り替えることが可能である。
また、更に前記カバー体（４）の色調もしくは模様を、洗面器（１）や架台部（２）、排水配管部（３）又は洗面化粧台が配置される室内の居住空間近傍の壁（８）と同一とすると、建物のリフォームやスケルトン・インフィル住宅におけるレイアウト変更の際等にカバー体（４）の意匠が悪化した場合に、前記カバー体（４）を取り外し、新たに、使用者の好みや、リフォーム後のレイアウト変更後に、洗面器（１）や架台部（２）、排水配管部（３）又は洗面化粧台が設置される近傍の壁（８）の模様もしくは色調に合わせたカバー体（４）を取り付けることで、意匠性の良い洗面化粧台とすることができる。
また、配管接続口（６）は、室内の居住空間の適宜箇所に複数設置されているので、リフォームや室内のレイアウト変更の際には、洗面化粧台や、その他の排水機器（例えば台所などの排水機器）を移動させた先の配管接続口（６）に排水管（３ｂ）の継手部（３ｃ）を連結させるだけで下水管（９）へと接続することができ、わざわざ洗面化粧台を移動させた場所に下水管（９）を増設しなくても済む。
また、配管接続口（６）と排水管（３ｂ）は着脱自在に連結することが可能であるので、煩わしい排水管（３ｂ）の接続施工作業が漏水の危険もなく手軽にできる。よって専門知識のない使用者でも排水管（３ｂ）と下水の施工を容易且つ確実にできるので、室内のレイアウトを変更した際の洗面化粧台の移動も専門知識のない使用者によって行うことができる。
【００１４】
本発明は上記実施例に限定されるものではなく、その要旨を変更しない範囲において必要に応じて自在に変更することができる。例えば上記実施例では槽体を架台部に載置している洗面化粧台を用いているが、図示しないが槽体を架台部に設けず、壁面に直接取り付ける方法としてもよい。
また上記実施例では排水機器として洗面化粧台を用いているが、図示しないが流し台など槽体の下方に排水管を配管するような排水機器すべてに活用することができる。
また、上記実施例ではフレーム材を４本の脚として槽体を支持載置しているが、排水配管部が室内の居住空間から露出している排水機器であれば、例えば図示しないが架台部を板状の部材から成る、前面が開口された箱体と構成したり、又は架台部を透明の板状部材から成る、前面に扉を備えた箱体と構成しても構わない。
また、上記実施例ではカバー体を取り替えることで、カバー体を排水機器が取り付けられる壁又は架台部又は排水配管部又は槽体と同一の模様もしくは同一の色調としている。このカバー体に色調もしくは模様を付与する方法としては、単純に塗料などで着色する等の他、タイルや壁紙を貼着する等の方法を用いても良い。
【００１５】
【発明の効果】
本発明の排水機器は、以下の効果を奏する。
１）本発明の排水機器は、排水配管部にカバー体を着脱自在に取り付けることで、排水配管部の室内の居住空間側への露出を防ぐことができ、室内の居住空間との調和がとれ、非常に意匠性が良くなった。
２）本発明の排水機器のカバー体は、適宜色彩や適宜模様をつけることで、多種多彩のバリエーションを用意することができ、使用者の好みでカバー体を取り替えることができるので意匠性が良くなった。
３）本発明の排水機器は、カバー体の色調もしくは模様を、槽体又は架台部、又は排水配管部及び各種排水機器が配置される室内の居住空間近傍の壁の、模様もしくは色調としたので、使用者の好みやリフォーム、スケルトン・インフィル住宅などで用いられた場合、レイアウトを変更した室内の居住空間の壁や槽体、架台部、排水配管部の色調や模様に合わせてカバー体を選択して取り付けることができ、意匠性が良くなった。
４）本発明の排水機器は、配管接続口を室内の居住空間の適宜箇所に複数設置したので、リフォームや室内のレイアウト変更の際には、各種排水機器を移動させた位置の配管接続口に排水管を連結させるだけで下水管へと接続することができる。
５）本発明の排水機器は、配管接続口と排水管は着脱自在に連結することができるので、煩わしい排水管の接続施工作業が漏水の危険もなく手軽にでき、専門知識のない使用者が排水管と下水の施工を簡単且つ確実にできるので、室内のレイアウトを変更した際の排水機器の移動も専門知識のない使用者によって行うことができる。
【図面の簡単な説明】
【図１】本発明の第１実施例及び第２実施例を示す、斜視図である。
【図２】本発明の第１実施例を示す、部品構成図である。
【図３】本発明の第１実施例を示す、断面図である。
【図４】本発明の第１実施例を示す、カバー体の斜視図である。
【図５】本発明の第１実施例を示す、カバー取付部材の斜視図である。
【図６】本発明の第２実施例を示す、部品構成図である。
【図７】本発明の第２実施例を示す、断面図である。
【図８】本発明の第２実施例を示す、カバー体の斜視図である。
【図９】本発明の第２実施例を示す、配管接続口の部品構成断面図である。
【図１０】本発明の第２実施例を示す、配管接続口の、セット時の断面図である。
【図１１】従来の技術を示す斜視図である。
【符号の説明】
１　　洗面器
１ａ　排水口
２　　架台部
２ａ　フレーム材
３　　排水配管部
３ａ　トラップ部
３ｂ　排水管
３ｃ　継手部
４　　カバー体
４ａ　係止部
５　　カバー取付部材
５ａ　被係止部
６　　配管接続口
６ａ　連結部
７　　吐水金具
８　　室内の居住空間の壁
９　　下水管（床下配管）
【図１】
2004092232.tif 000003
【図２】
2004092232.tif 000004
【図３】
2004092232.tif 000005
【図４】
2004092232.tif 000006
【図５】
2004092232.tif 000007
【図６】
2004092232.tif 000008
【図７】
2004092232.tif 000009
【図８】
2004092232.tif 000010
【図９】
2004092232.tif 000011
【図１０】
2004092232.tif 000012
【図１１】
2004092232.tif 000013